(57)【特許請求の範囲】
【請求項１】
洗濯兼脱水槽内の水位変化に伴う圧力の変化により変位するダイヤフラムと、このダイヤフラムの変位に連動して変位する第１の磁性体と、この第１の磁性体の対向位置に設け前記第１の磁性体の変位に伴いインダクタンスが変化する第１のコイルと、この第１のコイルとコンデンサとで形成したＬＣ共振回路と、傾斜した転動面を有するカップ状部材と、前記洗濯兼脱水槽を含む洗濯機本体の振動に応じて前記転動面上を転動可能な磁性材料で構成した転動部材と、前記カップ状部材の上方に設け前記転動部材の転動によりインダクタンスが変化する第２のコイルとを備え、前記第２のコイルは、その磁性中心を前記カップ状部材の内底部で前記転動部材に振動が加わらないときの位置から偏芯させて取り付けるとともに、前記ＬＣ共振回路に電気的に接続し、前記ＬＣ共振回路の発振周波数の変動により前記洗濯兼脱水槽内の水位および前記洗濯機本体の振動を検出するよう構成した洗濯機の水位兼振動検出装置。
【請求項２】
第２のコイルの内部に第２の磁性体を設けた請求項１記載の洗濯機の水位兼振動検出装置。
【請求項３】
第２の磁性体と第２のコイルとの嵌合をねじ構造とし、転動部材が移動した場合の発振周波数の変化量を調整可能とした請求項２記載の洗濯機の水位兼振動検出装置。
【請求項４】
第１のコイルと第２のコイルを上下方向に位置するように配設した請求項１記載の洗濯機の水位兼振動検出装置。
【請求項５】
カップ状部材と第１のコイルとの取り付けを爪による嵌合とした請求項１記載の洗濯機の水位兼振動検出装置。
【請求項６】
第１のコイルの巻線端子と第２のコイルの巻線端子を一体化した請求項１記載の洗濯機の水位兼振動検出装置。
【請求項７】
第１のコイルと第２のコイルを上下の位置に配設し、前記第１のコイルの側部近傍にカップ状部材が位置する請求項１記載の洗濯機の水位兼振動検出装置。
【請求項８】
転動部材は球状に構成し、カップ状部材の内底面の最下部に前記転動部材の径より小さい径の穴を設け、前記転動部材が転動していないとき、前記カップ状部材の内底面の穴に収納するようにした請求項１記載の洗濯機の水位兼振動検出装置。
【請求項９】
転動部材は強磁性体で構成し、カップ状部材の内底部の最下部にマグネットを配設し、前記マグネットによる磁力を受けることにより前記転動部材が転動してないときの位置に保持するようにした請求項１記載の洗濯機の水位兼振動検出装置。
【請求項１０】
マグネットと転動部材との距離を調節する機構を設けた請求項９記載の洗濯機の水位兼振動検出装置。
【請求項１１】
カップ状部材の内部に位置し、転動部材の転動範囲を制限するガイドを備えた請求項１記載の洗濯機の水位兼振動検出装置。
【発明の詳細な説明】
【０００１】
【発明の属する技術分野】
本発明は、洗濯時の設定水位であることを検知し、かつ洗濯物による洗濯槽を含む振動体の振動を検知できる洗濯機の水位兼振動検出装置に関するものである。
【０００２】
【従来の技術】
従来、洗濯機は、図８に示すように構成していた。以下、その構成について説明する。
【０００３】
図８に示すように、水受け槽１は、内底部に回転翼２を回転自在に配設した洗濯兼脱水槽３を内包し、吊り棒４により洗濯機外枠５に吊り下げている。モータ６は、水受け槽１の底部に取り付け、Ｖベルト７および減速装置８を介して洗濯兼脱水槽３または回転翼２に連結している。洗濯兼脱水槽３の上部に液体を内封した液体バランサー９を固定している。
【０００４】
給水弁１０は洗濯兼脱水槽３内に給水するもので、排水弁１１は洗濯兼脱水槽３内の洗濯液およびすすぎ液を排水するものである。制御装置１２は、モータ６、給水弁１０、排水弁１１などを制御していて、洗い、すすぎ、脱水の各行程を逐次制御するものである。
【０００５】
圧力検出装置１３は洗濯兼脱水槽３内の水位による圧力の変化により水位を検知するものである。この圧力検出装置１３は、図７（ａ）に示すように、ダイヤフラム１４に取り付けたダイヤフラム板１５にコア１６を取り付け、このコア１６が洗濯兼脱水槽３に加えられた水圧によりコイル１７の内部を移動することで、コイル１７のインダクタンスを変化させるように構成している。
【０００６】
コイル１７は、図７（ｂ）に示すように、コンデンサ１８とでＬＣ共振回路を構成しており、発振回路１９からの信号を制御装置１２に設けたマイクロコンピュータにより検知することで、洗濯兼脱水槽３内の水位を検出する。
【０００７】
アンバランス検知スイッチ２０は水受け槽１の近傍に配設し、脱水行程でのアンバランス状態を検知するもので、洗濯物の偏りにより生じた振動により水受け槽１がアンバランス検知スイッチ２０のレバー２１に接触し、所定距離だけ移動させることにより接点が開閉し、アンバランス状態を検知するよう構成している。
【０００８】
上記構成において動作を説明すると、洗濯兼脱水槽３に洗濯物と洗剤を投入した後運転を開始すると、給水弁１０を開いて、圧力検出装置１３により検知した所定の水位まで給水した後、モータ６を駆動する。このとき、モータ６の動力を洗濯物を介して回転翼２に伝達し、回転翼２が回転することで洗濯物が回転し、洗濯物同士、または洗濯兼脱水槽３、回転翼２との摩擦によって汚れを除去する。
【０００９】
脱水行程では、洗濯終了後、排水弁１１を開いて洗濯兼脱水槽３内の水を排水した後、モータ６の動力を洗濯兼脱水槽３に伝達して回転させ、洗濯物に遠心力を与えることにより、水分を洗濯物から分離することで行う。このとき、洗濯兼脱水槽３内の洗濯物の偏りにより水受け槽１が大きく振動すると、水受け槽１がアンバランス検知スイッチ２０のレバー２１に接触し、所定距離だけ移動させることにより接点が開閉し、アンバランス状態を検知する。
【００１０】
【発明が解決しようとする課題】
しかしながらこのような従来の構成では、洗濯兼脱水槽３内の水位を検知する圧力検出装置１３と、水受け槽１の振動を検知するアンバランス検知スイッチ２０の２つを別々に設ける必要があった。
【００１１】
この解決策として、水位を検出する圧力検出装置を用いて、洗濯物の偏りによる水受け槽の振動を検知する方法が提案されている。例えば、特許第３１２４７５９号に記載されている方法では、洗濯槽の水位による圧力の変化に連動してコイルの内部空間を移動する第１の磁性体が、このコイルの固有インダクタンスを変化させることで共振周波数を変化させ、水位を検出するよう構成した圧力検出装置を用い、同コイル内部に第２の磁性体を配設し、脱水時に水受け槽が洗濯物の偏りにより外枠を打撃することにより、第２の磁性体がコイルの内部空間を垂直方向に移動するように構成し、脱水行程中に圧力検出装置からの共振周波数を測定することで脱水行程の進行可否を決定する。
【００１２】
しかしながら、特許第３１２４７５９号に記載されている方法では、第２の磁性体がコイル内部空間にあるという寸法上の制約条件から、水平方向の移動量と垂直方向の移動量の両方を確保することができず、どちらかに特化して設定する必要がある。水受け槽が外枠を打撃した場合に、主として起こる水平方向の振動に対して感度を上げるため、第２の磁性体がコイル内部において水平方向に移動しやすい構成にすると、垂直方向の移動量が小さくなり、結果として、コイルの固有インダクタンスの変化量は小さくなり、共振周波数の変化量が小さくなる。
【００１３】
しかしながら、外来ノイズによる誤検知による誤動作を防止するためには、できるだけ共振周波数の変化量を大きくする必要があるから、第２の磁性体の移動方向を水平方向から垂直方向に大きくする必要があり、結果として、振動の検知感度が鈍くなるという問題があった。
【００１４】
本発明は上記課題を解決するもので、水位を検知する圧力検出装置からの信号に基づき振動を検知するようにし、単位振動当たりの発振周波数の変化量を大きくとれるようにして検知精度を向上し、併せて小型でかつ外来ノイズによる誤動作が起こりにくいようにすることを目的としている。
【００１５】
【課題を解決するための手段】
本発明は上記目的を達成するために、洗濯兼脱水槽内の水位変化に伴う圧力の変化により変位するダイヤフラムの変位に連動して第１の磁性体を変位させ、この第１の磁性体の対向位置に、第１の磁性体の変位に伴いインダクタンスが変化する第１のコイルを設け、この第１のコイルとコンデンサとでＬＣ共振回路を形成し、傾斜した転動面を有するカップ状部材の転動面上を洗濯兼脱水槽を含む洗濯機本体の振動に応じて転動可能な転動部材を磁性材料で構成し、カップ状部材の上方に転動部材の転動によりインダクタンスが変化する第２のコイルを設け、第２のコイルは、その磁性中心を前記カップ状部材の内底部で転動部材に振動が加わらないときの位置から偏芯させて取り付けるとともに、ＬＣ共振回路に電気的に接続し、ＬＣ共振回路の発振周波数の変動により洗濯兼脱水槽内の水位および洗濯機本体の振動を検出するよう構成したものである。
【００１６】
これにより、水位を検知する圧力検出装置からの信号に基づき振動を検知するようにでき、単位振動当たりの発振周波数の変化量を大きくとれるようにして検知精度を向上することができ、併せて小型でかつ外来ノイズによる誤動作が起こりにくいようにすることができる。
【００１７】
【発明の実施の形態】
本発明の請求項１に記載の発明は、洗濯兼脱水槽内の水位変化に伴う圧力の変化により変位するダイヤフラムと、このダイヤフラムの変位に連動して変位する第１の磁性体と、この第１の磁性体の対向位置に設け前記第１の磁性体の変位に伴いインダクタンスが変化する第１のコイルと、この第１のコイルとコンデンサとで形成したＬＣ共振回路と、傾斜した転動面を有するカップ状部材と、前記洗濯兼脱水槽を含む洗濯機本体の振動に応じて前記転動面上を転動可能な磁性材料で構成した転動部材と、前記カップ状部材の上方に設け前記転動部材の転動によりインダクタンスが変化する第２のコイルとを備え、前記第２のコイルは、その磁性中心を前記カップ状部材の内底部で前記転動部材に振動が加わらないときの位置から偏芯させて取り付けるとともに、前記ＬＣ共振回路に電気的に接続し、前記ＬＣ共振回路の発振周波数の変動により前記洗濯兼脱水槽内の水位および前記洗濯機本体の振動を検出するよう構成したものであり、カップ状部材を第２のコイルの外部端面に位置させることにより、カップ状部材内部の転動部材が振動により転動するときに第２のコイルの端面を移動するようになり、転動部材の移動方向が、主として垂直方向ではなく水平方向であるように構成しても、単位振動当たりの発振周波数の変化量を大きくとることができる。すなわち、水受け槽が外枠を打撃した場合に主として起こる水平方向の振動に対して検知精度を向上することができ、併せて小型でかつ外来ノイズによる誤動作が起こりにくくすることができる。
【００１８】
また、カップ状部材における転動部材が外部から加わる振動がない場合の位置（以降、常在位置という）とコイルとの垂直距離が寸法上の制約から固定された場合に、第２のコイルの磁性中心を転動部材の常在位置から偏芯させて取付ることにより、転動部材と第２のコイルとの距離を大きくすることができるため、第２のコイルの振動がない場合のインダクタンス（以降、初期のインダクタンスという）を第２のコイルの磁性中心が転動部材の常在位置と一致している場合の振動がない場合のインダクタンスと比較して大きくすることができるため、第２のコイルに転動部材が近づいたときの第２のコイルのインダクタンスと初期のインダクタンスとの差を大きくとることができ、結果として、転動部材の転動による発振周波数の変化量を大きくとることができ、外来ノイズなどの外乱による発振周波数の変動との区別が可能となり、寸法的にも小さく、かつ発振周波数の変化量の大きい水位兼振動検出装置を構成することができる。
【００１９】
請求項２に記載の発明は、上記請求項１に記載の発明において、第２のコイルの内部に第２の磁性体を設けたものであり、第２のコイルに第２の磁性体を設けることにより、第２のコイル内部の透磁率を上げることができるため、カップ状部材の内部を転動する転動部材が転動した際の第２のコイルの発振周波数の変化量を大きくすることができる。
【００２０】
請求項３に記載の発明は、上記請求項２に記載の発明において、第２の磁性体と第２のコイルとの嵌合をねじ構造とし、転動部材が移動した場合の発振周波数の変化量を調整可能としたものであり、第２のコイルと第２の磁性体と挿入の程度をねじ構造により容易に調整することができることにより、転動部材の転動による発振周波数の変化量の大きさを調整することができ、水位兼振動検出装置の量産時における発振周波数の変化量の調整を行うことができるため、水位兼圧力検出装置の振動に関する感度の単品ばらつきを抑えることができる。
【００２１】
請求項４に記載の発明は、上記請求項１に記載の発明において、第１のコイルと第２のコイルを上下方向に位置するように配設したものであり、第１のコイルと第２のコイルの位置関係を上下方向に位置させることにより、第１のコイルのボビンと第２のコイルのボビンを一体化したままそれぞれの巻線を巻くことができ、第１のコイルと第２のコイルを結合する工数を減らすことができるため、作業性とコスト面で有利な構成となる。
【００２２】
請求項５に記載の発明は、上記請求項１に記載の発明において、カップ状部材と第１のコイルとの取り付けを爪による嵌合としたものであり、カップ状部材と第２のコイルとの取付にビスなどの別部品を用いる必要がなく、作業性とコスト面で有利な構成となる。
【００２３】
請求項６に記載の発明は、上記請求項１に記載の発明において、第１のコイルの巻線端子と第２のコイルの巻線端子を一体化したものであり、端子部を一体化することにより、第１のコイルと第２のコイルとの電気的接続においてリード線などを必要とせず、作業性とコスト面で有利な構成となる。
【００２４】
請求項７に記載の発明は、上記請求項１に記載の発明において、第１のコイルと第２のコイルを上下の位置に配設し、前記第１のコイルの側部近傍にカップ状部材が位置するものであり、第１のコイルと第２のコイルとが干渉せず、かつ圧力検知用のダイヤフラムや磁性体と干渉しない第１のコイルの側部にカップ状部材を持ってくることで全体の構成をコンパクトにすることができ、洗濯機に搭載する際に有利とすることができる。
【００２５】
請求項８に記載の発明は、上記請求項１に記載の発明において、転動部材は球状に構成し、カップ状部材の内底面の最下部に前記転動部材の径より小さい径の穴を設け、前記転動部材が転動していないとき、前記カップ状部材の内底面の穴に収納するようにしたものであり、カップ状部材の内底面の穴の径を調整することにより、振動に対する感度設定をすることができるとともに、機器の微少振動による転動部材の誤動作や、水位判定時の設定周波数がずれるなどの不具合を防ぐことができる。
【００２６】
請求項９に記載の発明は、上記請求項１に記載の発明において、転動部材は強磁性体で構成し、カップ状部材の内底部の最下部にマグネットを配設し、前記マグネットによる磁力を受けることにより前記転動部材が転動してないときの位置に保持するようにしたものであり、マグネットの磁力の設定により、振動に対する感度設定ができるとともに、機器の微少振動による転動部材の誤動作や、水位判定時の設定周波数がずれるなどの不具合を防ぐことができる。
【００２７】
請求項１０に記載の発明は、上記請求項９に記載の発明において、マグネットと転動部材との距離を調節する機構を設けたものであり、マグネットを取り換えることなく、転動部材との距離を調整することにより、振動に対する感度設定をすることができる。
【００２８】
請求項１１に記載の発明は、上記請求項１に記載の発明において、カップ状部材の内部に位置し、転動部材の転動範囲を制限するガイドを備えたものであり、カップ状部材の内部にあるガイドが転動部材の転動範囲を制限し、ガイドによって転動部材の制限されている方向の振動に対しては転動部材が転動しにくく、振動に関する感度を鈍感にすることができるため、ガイドの幅を調整することで振動に対する感度設定を可能とすることができる。
【００２９】
【実施例】
以下、本発明の実施例について、図面を参照しながら説明する。なお、従来例と同じ構成のものは同一符号を付して説明を省略する。
【００３０】
（実施例１）
図２に示すように、水位兼振動検出装置２０は、洗濯兼脱水槽（洗濯槽）３内の水位を検知するとともに、水受け槽１の振動を検知するもので、洗濯機外枠５に加わる振動が伝わるように上部枠体２１に収納している。
【００３１】
この水位兼振動検出装置は、図１（ａ）に示すように、圧力の変化により変位するダイヤフラム２２にダイヤフラム板２３を介して第１の磁性体２４を保持し、この第１の磁性体２４と対向する位置に第１のコイル２５を配置し、第１の磁性体２４が移動することで第１のコイル２５のインダクタンスが変化するように構成している。
【００３２】
また、カップ状部材２６は第２のコイル２７の下方に取り付けており、カップ状部材２６内に磁性体で構成した転動部材２８を収納し、この転動部材２８が第２のコイル２７の端面を近づいたり遠ざかったりすることで、第２のコイル２７のインダクタンスが変化するような位置関係におかれている。ここで、第１のコイル２５と第２のコイル２７を上下の位置に配設し、第１のコイル２５の側部近傍にカップ状部材２６が位置するよう構成している。
【００３３】
また、図３に示すように、カップ状部材２６は第２のコイル２７のボビン２８と爪による嵌合となっており、カップ状部材２６と第２のコイル２７との取り付けにビスなどの別部品を用いる必要がなく、取付の作業を容易にし、コスト低減を可能としている。
【００３４】
また、転動部材２８が洗濯機の外枠に加わった振動により転動したときに、第２のコイル２７のインダクタンスの変化量を大きくとるために、第２のコイル２７の内部に透磁率が大きい第２の磁性体２９を収納し、固有インダクタンスを大きくしている。
【００３５】
また、第２の磁性体２９は第２のコイル２７のボビン２８との嵌合方式をねじ構造としており、このねじ構造により、第２の磁性体２９の第２のコイル２７に対する挿入程度を調整することで、第２のコイル２７のインダクタンスを変化させることができ、結果として転動部材２８が転動した場合の発振回路３０からの発振周波数の変化量の大きさを調整できるよう構成している。
【００３６】
また、カップ状部材２６は略すり鉢状で、かつカップ状部材２６の内底部に転動部材２８の静止時に、転動部材２８を収容する位置（以降、常在位置という）にて保持するための穴３１を設けている。水位兼振動検出装置１６は洗濯機に実装される場合、ダイヤフラム２と蓋３２の間に結露した水分が吸気口３３から出ていくように一定の傾斜角を持って取り付けられる。
【００３７】
また、カップ状部材２６内における転動部材２８の常在位置は、第２のコイル２７の磁性中心に対して偏芯して取り付けており、転動部材２８と第２のコイル２７との距離を大きくすることができるため、振動がない場合の第２のコイル２７のインダクタンス（以降、初期のインダクタンスという）を第２のコイル２７の磁性中心が転動部材２８の常在位置と一致し、かつ振動がない場合のインダクタンスと比べて大きくすることができるため、振動が加わったときに第２のコイル２７に転動部材２８が近づいたときの第２のコイル２７のインダクタンスと初期のインダクタンスとの差を大きくとることができる。
【００３８】
また、第２のコイル２７と第１のコイル２５は共通のボビン２８に取り付けており、第１のコイル２５と第２のコイル２７のそれぞれの巻線行程において干渉しないように、上下の位置関係にあり、第２のコイル２７は、図１（ｂ）に示すように、第１のコイル２５とコンデンサ３４とで形成したＬＣ共振回路に並列に接続して発振回路３０に接続しており、それぞれの端子を共通とすることで作業工程を少なくしている。
【００３９】
この発振回路３０の発振周波数を測定することにより、洗濯兼脱水槽３内の水位と、水受け槽１の振動を検知する。
【００４０】
上記構成において動作を説明する。洗い行程が始まると、洗濯兼脱水槽３内に投入した洗濯物の量を検知した後、給水弁１０を動作させて給水を始める。洗濯兼脱水槽３内の水の圧力が圧力検出装置２０に伝わると、ダイヤフラム２２がたわむことによって変位し、ダイヤフラム２２に取り付けたダイヤフラム板２３が上昇することで第１の磁性体２４が第１のコイル２５に近づき、第１のコイル２５のインダクタンスを変化させて発振回路３０の発振周波数を変化させる。この発振周波数を検知することによって水位を検知する。
【００４１】
図４（ａ）に示すように、時刻ｔ０にて給水を開始し、時刻ｔ１で圧力検出装置２０の発振周波数が設定周波数と等しいか、もしくは低くなったことを検知すると、制御装置３５は設定水位まで給水されたことを検知して給水を停止し、洗い行程またはすすぎ行程に移る。所定時間の洗い行程またはすすぎ行程の後、洗濯兼脱水槽３の水を排水する。
【００４２】
排水行程では、図４（ｂ）に示すように、時刻ｔ２にて排水を開始すると圧力検出装置２０の発振周波数は洗濯兼脱水槽３の水位の減少に伴って徐々に高くなり、ついには、時刻ｔ３にて初期周波数近傍においてほとんど変化しない領域に達し、この排水後の検知をもって排水が終了したことを検知する。洗濯兼脱水槽３内の水を排水した後、洗濯兼脱水槽３を高速で回転させる脱水行程に入る。
【００４３】
脱水行程では、モータ６の制御により洗濯兼脱水槽３を回転し、洗濯物に含まれる水分が外部に排出される。このとき、洗濯物が洗濯兼脱水槽３内で偏った状態の場合、重量アンバランスのため、洗濯兼脱水槽３を含む振動体が大きく振動する。
【００４４】
この振動による衝撃が水位兼振動検出装置２０に伝わり、図４（ｃ）の時刻ｔ４以降、転動部材２８に常在位置から脱出できる程度の衝撃が加わると、カップ
状部材２６内を転動部材２８が振動に応じた転動を始め、転動部材２８の常在位置に比べて、第２のコイル２７に近づいたり遠ざかったりすることで第２のコイル２７のインダクタンスが変化し、結果として発振回路３０の発振周波数を変化させる。この発振周波数の変動を検知することで脱水の進行可否を決定することができる。
【００４５】
図４（ｃ）に、振動が加わった場合の水位兼振動検出装置２０からの発振周波数の変化の例を示し、時刻ｔ４以降アンバランス状態を示している。この発振周
波数の変動が設定したしきい値を越える場合には脱水を一時停止し、洗濯物のアンバランスを修正する行程に移る。
【００４６】
また、この発振周波数の変動が設定したしきい値を超えない場合には、振動量が大きくないとして脱水行程を継続し、所定の時間が経過すると脱水行程を終了する。
【００４７】
洗濯兼脱水槽３の重量アンバランスによる振動が洗濯機外枠５に伝わる大きさは、洗濯機外枠５の強度や吊り棒４に取り付けているスプリングの大きさによって変化する。そのため、洗濯機本体が異なると振動の伝わる大きさも異なってくる。
【００４８】
また、カップ状部材２６の内部の傾斜角と転動部材２８の大きさにより、転動部材２８が転動を始める振動の大きさが異なってくるが、カップ状部材２６の傾斜角を一定であっても、機器ごとに振動による進行可否を決定する発振周波数の変動量を設定することにより、機器ごとの脱水進行可否レベルを設定することができる。
【００４９】
（実施例２）
図５に示すように、転動部材３６は強磁性体で構成し、カップ状部材２６の内底部の最下部にマグネット３７を配設し、マグネット３７による磁力を受けることにより転動部材３６を常在位置に保持するようにしている。他の構成は上記実施例１と同じである。
【００５０】
上記構成において動作を説明する。転動部材３６がマグネット３７によって常在位置に保持されているため、洗濯機外枠５に伝わる振動が小さい場合には、転動を開始せず、第２のコイル２７のインダクタンスは変化しない。よって発振回路３０の発振周波数は変化しないため、微少振動などによる誤動作を防ぐことができる。
【００５１】
また、ここではマグネット３７の強度を固定し、カップ状部材２６に取り付けているが、マグネット３７とカップ状部材２６の取り付けをねじ構造とすることにより、マグネット３７と転動部材３６との距離を調節し、転動部材３６に影響する磁力の強さを調整できるようにすれば、マグネット３７を変更することなく、水位兼振動検出装置の検知感度を調整することが可能となる。
【００５２】
（実施例３）
図６に示すように、カップ状部材３８の内部に転動部材３９の転動範囲を制限するガイド４０を設けている。他の構成は上記実施例１または２と同じである。
【００５３】
上記構成において動作を説明する。ガイド４０が、図６（ａ）に示す状態にある場合は、ｘ方向には転動が容易であり、ｙ方向にはやや転動しにくくすることができる。つぎに、ガイド４０が、図６（ｂ）に示す状態にある場合は、明らかにｙ方向には転動しにくく、ｘ方向には転動しやすくすることができる。
【００５４】
ガイド４０を、図６（ｂ）に示すように、調整した場合、洗濯兼脱水槽３が重量アンバランスのため大きく振動した際に、水位兼振動検出装置に伝わる振動の内、ｙ方向の振動についてはガイド４０によって転動が抑えられ、ｘ方向の振動が大きくなってはじめて転動を開始する。したがって、ガイド４０により転動部材３９の転動範囲を調整することによって、水位兼振動検出装置の感度を調整することができる。
【００５５】
なお、図６では、ガイド４０によりｙ方向の転動を制限するようにしているが、洗濯機本体に水位兼振動検出装置を取り付ける方向に応じて、転動部材３９の制限方向を変更することが必要である。
【００５６】
【発明の効果】
以上のように本発明の請求項１に記載の発明によれば、洗濯兼脱水槽内の水位変化に伴う圧力の変化により変位するダイヤフラムと、このダイヤフラムの変位に連動して変位する第１の磁性体と、この第１の磁性体の対向位置に設け前記第１の磁性体の変位に伴いインダクタンスが変化する第１のコイルと、この第１のコイルとコンデンサとで形成したＬＣ共振回路と、傾斜した転動面を有するカップ状部材と、前記洗濯兼脱水槽を含む洗濯機本体の振動に応じて前記転動面上を転動可能な磁性材料で構成した転動部材と、前記カップ状部材の上方に設け前記転動部材の転動によりインダクタンスが変化する第２のコイルとを備え、前記第２のコイルは、その磁性中心を前記カップ状部材の内底部で前記転動部材に振動が加わらないときの位置から偏芯させて取り付けるとともに、前記ＬＣ共振回路に電気的に接続し、前記ＬＣ共振回路の発振周波数の変動により前記洗濯兼脱水槽内の水位および前記洗濯機本体の振動を検出するよう構成したから、カップ状部材を第２のコイルの外部端面に位置させることにより、単位振動当たりの発振周波数の変化量を大きくとることができ、水受け槽が外枠を打撃した場合に主として起こる水平方向の振動に対して検知精度を向上することができ、併せて小型でかつ外来ノイズによる誤動作が起こりにくく感度をよくすることができる。
【００５７】
また、第２のコイルは、磁性中心をカップ状部材の内底部で転動部材が転動していないときの位置から偏芯させて取り付けたから、第２のコイルに転動部材が近づいたときの第２のコイルのインダクタンスと初期のインダクタンスとの差を大きくとることができ、結果として、転動部材の転動による発振周波数の変化量を大きくとることができ、外来ノイズなどの外乱による発振周波数の変動との区別が可能となり、寸法的にも小さく、かつ発振周波数の変化量の大きい水位兼振動検出装置を構成することができる。
【００５８】
また、請求項２に記載の発明によれば、第２のコイルの内部に第２の磁性体を設けたから、第２のコイル内部の透磁率を上げることができるため、カップ状部材の内部を転動する転動部材が転動した際の第２のコイルの発振周波数の変化量を大きくすることができる。
【００５９】
また、請求項３に記載の発明によれば、第２の磁性体と第２のコイルとの嵌合をねじ構造とし、転動部材が移動した場合の発振周波数の変化量を調整可能としたから、転動部材の転動による発振周波数の変化量の大きさを調整することができ、水位兼振動検出装置の量産時における発振周波数の変化量の調整を行うことができるため、水位兼圧力検出装置の振動に関する感度の単品ばらつきを抑えることができる。
【００６０】
また、請求項４に記載の発明によれば、第１のコイルと第２のコイルを上下方向に位置するように配設したから、第１のコイルのボビンと第２のコイルのボビンを一体化したままそれぞれの巻線を巻くことができ、第１のコイルと第２のコイルを結合する工数を減らすことができるため、作業性とコスト面で有利な構成となる。
【００６１】
また、請求項５に記載の発明によれば、カップ状部材と第１のコイルとの取り付けを爪による嵌合としたから、カップ状部材と第２のコイルとの取付にビスなどの別部品を用いる必要がなく、作業性とコスト面で有利な構成となる。
【００６２】
また、請求項６に記載の発明によれば、第１のコイルの巻線端子と第２のコイルの巻線端子を一体化したから、第１のコイルと第２のコイルとの電気的接続においてリード線などを必要とせず、作業性とコスト面で有利な構成となる。
【００６３】
また、請求項７に記載の発明によれば、第１のコイルと第２のコイルを上下の位置に配設し、前記第１のコイルの側部近傍にカップ状部材が位置するから、第１のコイルと第２のコイルとが干渉せず、かつ圧力検知用のダイヤフラムや磁性体と干渉しない第１のコイルの側部にカップ状部材を持ってくることで全体の構成をコンパクトにすることができる。
【００６４】
また、請求項８に記載の発明によれば、転動部材は球状に構成し、カップ状部材の内底面の最下部に前記転動部材の径より小さい径の穴を設け、前記転動部材が転動していないとき、前記カップ状部材の内底面の穴に収納するようにしたから、カップ状部材の内底面の穴の径を調整することにより、振動に対する感度設定をすることができるとともに、機器の微少振動による転動部材の誤動作や、水位判定時の設定周波数がずれるなどの不具合を防ぐことができる。
【００６５】
また、請求項９に記載の発明によれば、転動部材は強磁性体で構成し、カップ状部材の内底部の最下部にマグネットを配設し、前記マグネットによる磁力を受けることにより前記転動部材が転動してないときの位置に保持するようにしたから、マグネットの磁力の設定により、振動に対する感度設定ができるとともに、機器の微少振動による転動部材の誤動作や、水位判定時の設定周波数がずれるなどの不具合を防ぐことができる。
【００６６】
また、請求項１０に記載の発明によれば、マグネットと転動部材との距離を調節する機構を設けたから、マグネットを取り換えることなく、転動部材との距離を調整することにより、振動に対する感度設定をすることができる。
【００６７】
また、請求項１１に記載の発明によれば、カップ状部材の内部に位置し、転動部材の転動範囲を制限するガイドを備えたから、カップ状部材の内部にあるガイドが転動部材の転動範囲を制限し、ガイドによって転動部材の制限されている方向の振動に対しては転動部材が転動しにくく、振動に関する感度を鈍感にすることができるため、ガイドの幅を調整することで振動に対する感度設定を可能とすることができる。
【図面の簡単な説明】
【図１】  （ａ）本発明の第１の実施例の水位兼振動検出装置の断面図
（ｂ）同水位兼振動検出装置の一部ブロック化した回路図
【図２】  同水位兼振動検出装置を備えた洗濯機の断面図
【図３】  同水位兼振動検出装置の要部分解斜視図
【図４】  （ａ）同水位兼振動検出装置の給水行程での動作タイムチャート
（ｂ）同水位兼振動検出装置の排水行程での動作タイムチャート
（ｃ）同水位兼振動検出装置の脱水行程での動作タイムチャート
【図５】  本発明の第２の実施例の水位兼振動検出装置の断面図
【図６】  （ａ）本発明の第３の実施例の水位兼振動検出装置の要部断面図
（ｂ）同水位兼振動検出装置の要部断面図
【図７】  （ａ）従来の圧力検出装置の断面図
（ｂ）同圧力検出装置の一部ブロック化した回路図
【図８】  同水位兼振動検出装置を備えた洗濯機の断面図
【符号の説明】
２２  ダイヤフラム
２４  第１の磁性体
２５  第１のコイル
２６  カップ状部材
２７  第２のコイル
２８  転動部材
３４  コンデンサ
【図１】
0004622153.tif 000002
【図２】
0004622153.tif 000003
【図３】
0004622153.tif 000004
【図４】
0004622153.tif 000005
【図５】
0004622153.tif 000006
【図６】
0004622153.tif 000007
【図７】
0004622153.tif 000008
【図８】
0004622153.tif 000009